(57)【要約】【課題】動作速度を低下させることなく二次電池の不活性化の影響を抑制する電子機器を提供する。【解決手段】充電回数カウント部６３ｂはフラッシュメモリ６４へ充電回数を格納する。マイクロコンピュータ６３内の通信制御部６３ｃは、充電回数テーブル７１，充電回数，充電可能容量，および現存容量を制御回路４１へ出力する。制御回路４１内のオフセット量決定部４１ｂは、バッテリパック５３が電子カメラ１に取り付けられると、通信制御部６３ｃにより出力された充電回数テーブル７１および充電回数に基づいて、充電回数に対応するオフセット量を決定。使用割合算出部４１ｃは、充電可能容量および現存容量と、オフセット量決定部４１ｂにより決定されたオフセット量に基づき、二次電池６１の不活性化を考慮した残容量を算出する。制御回路４１は、算出された残容量を表示装置４４へ表示したり、残容量が一定量以下の場合には操作者へ充電を促したりする。【選択図】図１
2011024347.tif 000002
【特許請求の範囲】
【請求項１】
二次電池の現存容量を検出する検出手段と、
前記二次電池の充電履歴を記憶する記憶手段と、
前記記憶手段に記憶された充電履歴に基づいて、前記二次電池の不活性化に起因するオフセット量を決定するオフセット量決定手段と、
前記検出手段により検出された現存容量と、前記オフセット量決定手段により決定されたオフセット量とに基づいて、前記二次電池の使用割合を算出する算出手段と、
前記算出手段が算出した使用割合を表示する表示手段と、
を備えることを特徴とする電子機器。
【請求項２】
請求項１に記載の電子機器において、
前記充電履歴は、前記二次電池の現存容量が充電により第１のしきい値以下から第２のしきい値以上に増加した回数を含むことを特徴とする電子機器。
【請求項３】
請求項１または２に記載の電子機器において、
前記オフセット量決定手段は、前記二次電池の充電が行われた時に前記オフセット量を決定することを特徴とする電子機器。
【請求項４】
二次電池の現存容量を検出する検出手段と、
前記二次電池の活性化に寄与する大きさの負荷による放電履歴を記憶する記憶手段と、
前記二次電池の充電が行われた時に、前記記憶手段に記憶された放電履歴に基づいて前記二次電池の不活性化に起因するオフセット量を決定するオフセット量決定手段と、
前記検出手段により検出された現存容量と、前記オフセット量決定手段により決定されたオフセット量と、に基づいて前記二次電池の使用割合を算出する算出手段と、
前記算出手段が算出した使用割合を表示する表示手段と、
を備えることを特徴とする電子機器。
【請求項５】
請求項４に記載の電子機器において、
前記二次電池の活性化に寄与する大きさの負荷を有する電気部品を更に備え、
前記放電履歴は、前記電気部品の使用回数を含むことを特徴とする電子機器。
【請求項６】
請求項５に記載の電子機器において、
互いに異なる複数の前記電気部品を備え、
前記放電履歴は、前記複数の電気部品の各々に対応する使用回数を含むことを特徴とする電子機器。
【発明の詳細な説明】
【技術分野】
【０００１】
本発明は、二次電池を利用する電子機器に関する。
【背景技術】
【０００２】
可搬電子機器において、リチウムイオン二次電池など種々の二次電池が広く用いられている。このような二次電池は長期間使用しなかった場合、不活性化し内部抵抗が高くなり、出力性能が低下する。一般に電池は残容量が減ると出力電圧は低下するが、不活性化が進行した場合は更に出力電圧が低下し、機器に悪影響を及ぼすおそれがある。例えば特許文献１には、二次電池の活性化を行うための追加の回路を設けた電気機器が記載されている。
【先行技術文献】
【特許文献】
【０００３】
【特許文献１】特許第３３５２２２２号公報
【発明の概要】
【発明が解決しようとする課題】
【０００４】
特許文献１に記載された電気機器では、二次電池の活性化のために活性化専用の回路を搭載しなければならないという問題があった。
【課題を解決するための手段】
【０００５】
請求項１に係る発明は、二次電池の現存容量を検出する検出手段と、前記二次電池の充電履歴を記憶する記憶手段と、前記記憶手段に記憶された充電履歴に基づいて、前記二次電池の不活性化に起因するオフセット量を決定するオフセット量決定手段と、前記検出手段により検出された現存容量と、前記オフセット量決定手段により決定されたオフセット量とに基づいて、前記二次電池の使用割合を算出する算出手段と、前記算出手段が算出した使用割合を表示する表示手段と、を備えることを特徴とする電子機器である。
請求項４に係る発明は、二次電池の現存容量を検出する検出手段と、前記二次電池の活性化に寄与する大きさの負荷による放電履歴を記憶する記憶手段と、前記二次電池の充電が行われた時に、前記記憶手段に記憶された放電履歴に基づいて前記二次電池の不活性化に起因するオフセット量を決定するオフセット量決定手段と、前記検出手段により検出された現存容量と、前記オフセット量決定手段により決定されたオフセット量と、に基づいて前記二次電池の使用割合を算出する算出手段と、前記算出手段が算出した使用割合を表示する表示手段と、を備えることを特徴とする電子機器である。
【発明の効果】
【０００６】
本発明によれば、活性化専用の回路を設けることなく、二次電池の不活性化の影響を抑制することができる。
【図面の簡単な説明】
【０００７】
【図１】第１の実施の形態による電子カメラを側面から見た断面図である。
【図２】電子カメラ１の構成を示すブロック図である。
【図３】バッテリパック５３の詳細な構成を示すブロック図である。
【図４】充電回数テーブルを示す図である。
【図５】二次電池６１の使用割合の算出処理を示すフローチャートである。
【図６】モータ駆動回数テーブルおよび発光回数テーブルを示す図である。
【発明を実施するための形態】
【０００８】
（第１の実施の形態）
図１は、第１の実施の形態による電子カメラを側面から見た断面図である。この電子カメラ１はレンズ交換式の一眼レフタイプであり、撮影レンズ３１を有する交換レンズ３がレンズマウント３２を介してカメラ本体２に装着される。レンズマウント３２には、撮影レンズ３１を透過した被写体光をカメラ本体２内に導くための開口３２ａが設けられている。
【０００９】
カメラ本体２内の撮影光路上には、シャッタ装置であるフォーカルプレーンシャッタ３３と、光学フィルタ３４と、ＣＣＤなどの撮像素子３５が設置されている。また、レンズマウント３２とフォーカルプレーンシャッタ３３との間には、被写体光を反射するミラー３６が設けられている。ミラー３６の上方には、ミラー３６により反射された被写体光を受光し被写体像を結像するファインダスクリーン３７と、ファインダスクリーン３７上の被写体像を観察するための接眼レンズ３８と、ファインダスクリーン３７上の像を接眼レンズ３８へ導くペンタダハプリズム３９がそれぞれ設けられている。
【００１０】
電子カメラ１の操作者によりレリーズ操作がなされると、図１において破線で示す位置３６ａへミラー３６が跳ね上げられて撮影光路から退避し、続いてフォーカルプレーンシャッタ３３が駆動される。これにより、撮影レンズ３１を透過した被写体光は、光学フィルタ３４を介して撮像素子３５に入射する。後述する制御回路４１は、撮像素子３５の光電変換出力へ種々の処理を行い、デジタル画像データを生成する。なお、撮像素子３５には、ＣＣＤ以外の撮像素子（例えばＣＭＯＳ）を用いてもよい。
【００１１】
図２は、電子カメラ１の構成を示すブロック図である。図２中の実線は画像データや制御信号などの通信路を、破線は各回路の駆動電力の伝送路を表す。電子カメラ１は、図１において説明した各部に加えて、制御回路４１，Ａ／Ｄ変換回路４２，タイミングジェネレータ（ＴＧ）４３，表示装置４４，入力装置４５，カードインタフェース（Ｉ／Ｆ）４６，メモリカード４７，ＲＯＭ４８，ＲＡＭ４９，発光装置５０，シーケンスモータ５１，シャッタマグネット５２，バッテリパック５３，ＤＣ／ＤＣコンバータ５４，およびレギュレータ５５を備える。
【００１２】
Ａ／Ｄ変換回路４２は、撮像素子３５の光電変換出力をデジタル信号に変換して制御回路４１へ出力する。タイミングジェネレータ４３は、撮像素子３８およびＡ／Ｄ変換回路４２を所定の動作タイミングで駆動するための駆動信号を出力する。
【００１３】
表示装置４４は、例えば電子カメラ１の背面に設置された液晶表示装置である。表示装置４４は、制御回路４１からの指示に基づき画像やバッテリ残量などの情報を表示する。入力装置４５はボタンやスイッチ等を含み、操作者の操作に応じた操作信号を制御回路４１へ出力する。カードＩ／Ｆ４６は記録媒体であるメモリカード４７を着脱可能なインタフェースである。制御回路４１はカードＩ／Ｆ４６を介して、電子カメラ１に取り付けられたメモリカード４７の読み書きを行うことができる。
【００１４】
ＲＯＭ４８は制御回路４１が実行する制御プログラムなど、予め用意されたプログラムやデータが格納された記憶装置である。ＲＡＭ４９は揮発性の記憶装置であり、制御回路４１が制御プログラムを実行する際に作業領域として用いられる。発光装置５０は被写体へ撮影補助光を照射する装置であり、キセノンが封入された放電管と、放電管に接続されたキャパシタとを有する。制御回路４１は発光装置５０を使用する際、上記のキャパシタへ充電を行う。発光装置５０はこのキャパシタに充電された電力を放電管へ放電することにより発光を行う。キャパシタへの充電の際、発光装置５０内の回路へは数アンペア程度の電流が流れる。
【００１５】
シーケンスモータ５１は、電子カメラ１のミラーアップやミラーダウン、シャッタチャージ等を行うためのＤＣモータであり、制御回路４１によって駆動制御される。操作者によりレリーズ操作が行われると、制御回路４１はシーケンスモータ５１を使用し、ミラーアップ等の一連の動作を行う。このとき、シーケンスモータ５１には２〜３アンペア程度の電流が流れる。シャッタマグネット５２は、シーケンスモータ５１によってチャージされたフォーカルプレーンシャッタ３６に対して、撮影時に走行を開始させるためのマグネットである。
【００１６】
制御回路４１は、ＲＯＭ４８に予め格納された制御プログラムを読み込んで実行する。この制御プログラムは、電子カメラ１を構成する各部の制御を行うよう構成されている。具体的には、各部から出力される信号に基づく所定の演算を行い、演算結果に基づく制御信号を各部へ出力する。
【００１７】
操作者によりレリーズ操作が行われると、制御回路４１はＡ／Ｄ変換回路４２を介して受信した撮像素子３５の光電変換出力に基づいて、例えばホワイトバランス処理などの各種の画像処理を行う。制御回路４１はその後、画像データを所定の形式で圧縮する圧縮処理を行い、圧縮処理された画像データをカードＩ／Ｆ４６に装着されたメモリカード４７に記録させる。
【００１８】
バッテリパック５３は繰り返し充電が行える二次電池を内蔵したユニットであり、電子カメラ１に対して着脱が可能である。電子カメラ１へ装着されたバッテリパック５３は、制御回路４１，ＤＣ／ＤＣコンバータ５４，およびレギュレータ５５に接続される。バッテリパック５３により、ＤＣ／ＤＣコンバータ５４およびレギュレータ５５を介して電子カメラ１の各部へ電圧の供給が行われる。バッテリパック５３はマイクロコンピュータを内蔵し、制御回路４１と通信を行うことができる。
【００１９】
バッテリパック５３からＤＣ／ＤＣコンバータ５４を介して供給される電圧Ｖｃｃは、電子カメラ１が電源オン状態である場合にのみ供給され、電子カメラ１が電源オフ状態である場合には供給されない。他方、レギュレータ５５を介して供給される電圧Ｖｓｔｂは、電子カメラ１の電源状態に関わらず常に供給される。電圧Ｖｓｔｂは、例えば現在時刻をカウントするための不図示のタイマーなど、電子カメラ１が電源オフ状態である間も継続して動作すべき回路により利用される。
【００２０】
制御回路４１は、バッテリパック５３の残容量が１０％以下になると、表示装置４４へ充電を促すメッセージを表示し、操作者によるレリーズ操作に応答しなくなる。そして、上記のメッセージを表示してから所定時間（例えば３０秒）が経過すると、自動的に電子カメラ１を電源オフ状態に遷移させる。
【００２１】
制御回路４１は、通信制御部４１ａ，オフセット量決定部４１ｂ，および使用割合算出部４１ｃを有する。これらの各部は、マイクロコンピュータ６３が上述した制御プログラムを実行することにより、ソフトウェア的に実現される。これら各部については後に詳述する。
【００２２】
図３は、バッテリパック５３の詳細な構成を示すブロック図である。図２と同様に、図３中の実線は制御信号などの通信路を、破線は各回路の駆動電力の伝送路を表す。バッテリパック５３は、リチウムイオン方式の二次電池６１と、マイクロコンピュータ６３と、マイクロコンピュータ６３に各々接続された計測回路６２およびフラッシュメモリ６４を備える。
【００２３】
バッテリパック５３は、電子カメラ１および不図示の充電器に着脱可能である。バッテリパック５３が電子カメラ１に装着されると、二次電池６１が計測回路６２を介してＤＣ／ＤＣコンバータ５４およびレギュレータ５５と接続される。計測回路６２は、二次電池６１の放電電流量を積算し、その結果をマイクロコンピュータ６３へ出力する。
【００２４】
他方、バッテリパック５３が充電器に装着されると、二次電池６１が計測回路６２を介して充電器内の充電用回路と接続される。このとき二次電池６１へは計測回路６２を介して充電用回路から電力が供給され、二次電池６１が充電される。計測回路６２は、二次電池６１への充電電流量を積算し、その結果をマイクロコンピュータ６３へ出力する。
【００２５】
マイクロコンピュータ６３は、フラッシュメモリ６４に予め格納されている制御プログラムを実行し、バッテリパック５３内の各部の制御を行う。フラッシュメモリ６４は書き換え可能な不揮発性の記憶装置であり、上記の制御プログラム、充電回数、充電可能容量の値、および後述する充電回数テーブルが格納されている。なお充電可能容量は、工場出荷時に規定される、二次電池６１の全容量を表す数値である。
【００２６】
マイクロコンピュータ６３は、現存容量検出部６３ａ，充電回数カウント部６３ｂ，オフセット量決定部６３ｃ，および使用割合算出部６３ｄを有する。これらの各部は、マイクロコンピュータ６３が上述した制御プログラムを実行することにより、ソフトウェア的に実現される。これら各部については後に詳述する。
【００２７】
次に、電子カメラ１によるバッテリ残量の扱いについて説明する。一般に、電池が不活性化すると内部抵抗が高くなり出力電圧が低下する。本実施形態による電子カメラ１は、二次電池６１の充電可能容量のうち一部を温存することにより、出力電圧の低下を抑制する。この温存される量をオフセット量と呼ぶ。制御回路４１は、充電可能容量および現存容量があたかもこのオフセット量の分だけ小さいかのように振る舞う。このオフセット量は、バッテリパック５３を電子カメラ１へ装着した時に、オフセット量決定部６３ｃにより決定される。
【００２８】
例えば、二次電池６１の充電可能容量が２５００ｍＡｈ、現存容量が５００ｍＡｈ、オフセット量が３００ｍＡｈである場合を考える。このとき制御回路４１は、二次電池６１の充電可能容量が２５００−３００＝２２００ｍＡｈ、現存容量が５００−３００＝２００ｍＡｈであるものとして各種の処理を実行する。オフセット量を考慮しない場合、残容量は５００／２５００＝０．２より２０％となるが、オフセット量を考慮した場合、残容量は（５００−３００）／（２５００−３００）≒０．０９より９％となる。残容量が１０％を下回っているので、制御回路４１は表示装置４４へ充電を促すメッセージを表示し、操作者によるレリーズ操作に応答しなくなる。また、表示装置４４にはバッテリ残量が残り９％である旨の表示が行われる。
【００２９】
いったん不活性化した二次電池６１は、大電流を繰り返し取り出すことにより再び活性化する。電子カメラ１においては、シーケンスモータ５１を駆動させる際や、発光装置５０を駆動させる際に、二次電池６１から大電流が取り出される。オフセット量決定部６３ｃは、充電回数が増えると二次電池６１が活性化したと判断しオフセット量を減らす。これは、二次電池６１の充電を行ったということはすなわち二次電池６１を充電が必要になるまで使用したということであり、二次電池６１を使用したということはすなわち電子カメラ１を用いて繰り返し撮影を行い、シーケンスモータ５１や発光装置５０を繰り返し駆動させたと考えられるためである。
【００３０】
次に、二次電池６１の使用割合を算出する手順について説明する。マイクロコンピュータ６３内の現存容量検出部６３ａは、フラッシュメモリ６４に記録されている充電可能容量と、計測回路６２が出力する充放電電流量の積算値とに基づいて公知の計算処理を行い、二次電池６１の現存容量を算出する。フラッシュメモリ６４には二次電池６１の充電回数が格納されており、バッテリパック５３の工場出荷時に設定される初期値は０である。充電回数カウント部６３ｂは、二次電池６１の現存容量が充電可能容量の３５％以下になり、その後充電により８５％以上となったとき、フラッシュメモリ６４に格納されている充電回数を１だけ増やす。
【００３１】
制御回路４１内の通信制御部４１ａは、マイクロコンピュータ６３へ、後述する充電回数テーブル，充電回数，充電可能容量，および現存容量のいずれか少なくとも１つを要求する信号を出力する。マイクロコンピュータ６３内の通信制御部６３ｃはこの信号に応じて、フラッシュメモリ６４に格納されている充電回数テーブル，充電回数，充電可能容量，および現存容量検出部６３ａが検出した現存容量のうち、制御回路４１から出力された信号に対応するデータを制御回路４１へ出力する。
【００３２】
図４は、充電回数テーブルを示す図である。充電回数テーブル７１は、充電回数からオフセット量を求めるためのテーブルであり、フラッシュメモリ６４に予め格納されている。制御回路４１内のオフセット量決定部４１ｂは、バッテリパック５３が電子カメラ１に取り付けられると、通信制御部６３ｃにより出力された充電回数テーブル７１および充電回数に基づいて、充電回数に対応するオフセット量を充電回数テーブル７１より抽出する。例えば図４において、充電回数が０回であればオフセット量は５００ｍＡｈ、１回であれば４００ｍＡｈとなる。
【００３３】
使用割合算出部４１ｃは、通信制御部６３ｃにより出力された充電可能容量および現存容量と、オフセット量決定部４１ｂにより決定されたオフセット量とに基づき、次式（１）により二次電池６１の不活性化を考慮した使用割合を算出する。
ｐ＝１００（ｒ−Ｏｆｆ）／（ｃ−Ｏｆｆ）    …（１）
【００３４】
ここで、ｐは二次電池６１の残容量を表すパーセンテージ、ｒは二次電池６１の現存容量、ｃは二次電池６１の充電可能容量、Ｏｆｆはオフセット量決定部４１ｂにより決定されたオフセット量である。制御回路４１は、式（１）により算出された残容量を表示装置４４へ表示したり、残容量が一定量以下の場合には操作者へ充電を促したりする。
【００３５】
図５は、二次電池６１の使用割合の算出処理を示すフローチャートである。この処理は、電子カメラ１へバッテリパック５３が装着されたときに実行が開始される。ステップＳ１１では制御回路４１が、バッテリパック５３が電子カメラ１へ取り付けられたことを検知する。ステップＳ１２では、通信制御部４１ａがバッテリパック５３内のマイクロコンピュータ６３へ充電回数テーブル，充電回数，現存容量，および充電可能容量を要求する信号を出力する。ステップＳ１３では、マイクロコンピュータ６３内の通信制御部６３ｃが充電回数テーブル，充電回数，現存容量，および充電可能容量を出力し、制御回路４１により受信される。
【００３６】
ステップＳ１４では、オフセット量決定部４１ｂが充電回数テーブル７１と充電回数とに基づいてオフセット量を決定する。ステップＳ１５では使用割合算出部４１ｃが現存容量，充電可能容量，およびオフセット量決定部４１ｂにより決定されたオフセット量に基づき使用割合を算出する。ステップＳ１６では、制御回路４１が、使用割合算出部４１ｃにより算出された使用割合を表示装置４４に表示させる。
【００３７】
上述した第１の実施の形態による電子カメラによれば、次の作用効果が得られる。
（１）オフセット量決定部４１ｂが、充電回数カウント部６３ｂによりフラッシュメモリ６４へ格納された充電回数に基づいてオフセット量を決定する。これにより、二次電池の活性化状態に応じたオフセット量が定められ、二次電池の出力電圧の低下が抑制される。
【００３８】
（２）制御回路４１が、使用割合算出部４１ｃにより算出されるオフセット量を加味した残容量を表示装置４４へ表示する。これにより、操作者は二次電池の活性化状態を意識する必要がない。
【００３９】
（３）充電回数カウント部６３ｂは、二次電池の現存容量が充電可能容量の３５％以下から８５％以上になった場合に、フラッシュメモリ６４内の充電回数を増加させる。これにより、少量の充放電ではオフセット量が減少せず、オフセット量決定部４１ｂに適切なオフセット量を決定させることができる。
【００４０】
（４）充電回数は、バッテリパック５３内のフラッシュメモリ６４へ格納される。これにより、１つの電子カメラにおいて複数の異なるバッテリパックを使用する場合であっても、充電回数がバッテリパックごとに正しく記録される。
【００４１】
（５）充電回数テーブルは、バッテリパック５３内のフラッシュメモリ６４へ格納される。これにより、既存のバッテリパックとは活性化や充放電の特性が異なるバッテリパックが電子カメラより後に製作された場合であっても、そのバッテリパックの特性に応じた適切なオフセット量を決定することができる。
【００４２】
上述した第１の実施の形態では、二次電池の充電回数を用いてオフセット量を決定していた。以下に詳述する第２の実施の形態では、二次電池の放電回数を用いてオフセット量を決定する。
【００４３】
（第２の実施の形態）
本実施形態による電子カメラにおいては、マイクロコンピュータ６３が、バッテリパック５３内のフラッシュメモリ６４へ充電回数の代わりにシーケンスモータ５１の駆動回数（以下、モータ駆動回数という）と、発光装置５０の使用回数（以下、発光回数という）を格納する。これらの回数は制御回路４１によりバッテリパック５３へ出力され、受信したマイクロコンピュータ６３によりフラッシュメモリ６４へ格納される。制御回路４１内のオフセット量決定部４１ｂは、充電回数テーブル７１および充電回数の代わりに、以下で説明するモータ駆動回数テーブル７２，発光回数テーブル７３，モータ駆動回数，および発光回数に基づいてオフセット量を決定する。
【００４４】
なお、シーケンスモータ５１の駆動回数は、１回の撮影動作に対し１回とカウントする。また、発光装置５０の使用回数は、発光装置５０内のキャパシタへ充電を行った回数であり、実際に発光を行った回数とは異なる。これは、キャパシタへ充電したにも係わらず発光を行わなかった場合であっても、二次電池６１の活性化が為されているためである。
【００４５】
オフセット量決定部４１ｂによるオフセット量の決定は、第１の実施の形態と同様にバッテリパック５３がカメラ本体へ装着された時に行う。これは、動作中にオフセット量を変更した場合、残容量が急激に変化する可能性があり、操作者が戸惑うおそれがあるためである。
【００４６】
図６は、モータ駆動回数テーブルおよび発光回数テーブルを示す図である。図６（ａ）に示すモータ駆動回数テーブル７２は、シーケンスモータ５１の駆動回数に対する活性化指数１を定めるテーブルであり、図６（ｂ）に示す発光回数テーブル７３は、発光装置５０の使用回数に対する活性化指数２を定めるテーブルである。オフセット量決定部４１ｂは、これらのテーブルから得られた活性化指数１および活性化指数２に基づき、次式（２）によりオフセット量Ｏｆｆを決定する。
Ｏｆｆ＝５００（ｉ１＋ｉ２）／２      …（２）
【００４７】
ここで、ｉ１はモータ駆動回数テーブル７２より求めた活性化指数１、ｉ２は発光回数テーブル７３より求めた活性化指数２である。例えばシーケンスモータ５１の駆動回数が１５００回、発光装置５０の使用回数が８００回であった場合、モータ駆動回数テーブル７２より活性化指数１は０．２，発光回数テーブル７３より活性化指数２は０となる。これらの値を式（２）に代入し、オフセット量Ｏｆｆは５００（０．２＋０）／２＝５０となる。
【００４８】
上述した第２の実施の形態による電子カメラによれば、第１の実施の形態による電子カメラで得られる作用効果に加えて、次の作用効果が得られる。
（１）オフセット量決定部４１ｂは、バッテリパック５３内のフラッシュメモリ６４へ格納されているモータ駆動回数と発光回数とに基づいてオフセット量を決定する。これにより、充電回数に基づく場合より精密にオフセット量を決定することができる。
【００４９】
次のような変形も本発明の範囲内であり、変形例の一つ、もしくは複数を上述の実施形態と組み合わせることも可能である。
【００５０】
（変形例１）
使用割合として、二次電池の残容量ではなく空き容量を用いてもよい。例えば、表示装置へ残容量が８０％であることを表示するのではなく、空き容量が２０％であると表示してもよい。また、両方の値を表示するようにしてもよい。
【００５１】
（変形例２）
第２の実施の形態において、オフセット量を求めるための活性化指数を、活性化に寄与する度合いに応じた大きさに設定してもよい。例えば第２の実施の形態において、シーケンスモータを駆動させることが発光装置のキャパシタへ充電することよりも活性化の寄与の度合いが大きいのであれば、シーケンスモータの駆動回数から求められる活性化指数１が、キャパシタへの充電回数から求められる活性化指数２より大きくなるようにしてもよい。
【００５２】
（変形例３）
オフセット量はテーブルを参照することにより求めるのではなく、所定の関数により求めるようにしてもよい。これにより、オフセット量をより厳密に決定することが可能となる。
【００５３】
（変形例４）
第２の実施の形態において、シーケンスモータの駆動回数や発光装置の使用回数の代わりにレリーズ操作の回数を用いてもよい。これにより、回数の記録処理やオフセット量の決定処理がより簡略化される。
【００５４】
（変形例５）
第２の実施の形態において、シーケンスモータの駆動回数や発光装置の使用回数をバッテリパック内ではなくカメラ本体内に格納してもよい。モータ駆動回数テーブルおよび発光回数テーブルについても同様である。また、オフセット量の決定や使用割合の算出は、カメラ本体内の制御回路が行うようにしてもよいし、バッテリパック内のマイクロコンピュータが行うようにしてもよい。
【００５５】
（変形例６）
第１の実施の形態において、電子カメラへ複数の種類のバッテリパックを装着可能であり、且つ充電回数テーブルをバッテリパック内ではなくカメラ本体内に格納する場合には、カメラ本体へバッテリパックの種類毎に異なる充電回数テーブルを格納してもよい。この場合、オフセット量の決定には、カメラ本体に取り付けられたバッテリパックの種類に応じた充電回数テーブルが用いられる。
【００５６】
（変形例７）
第１の実施の形態において、バッテリパックへタイマーを内蔵させ、一定期間バッテリパックが使用されなかった場合にはフラッシュメモリに格納されている充電回数を初期化するようにしてもよい。これは、一定期間バッテリパックが使用されなかった場合には二次電池が不活性化している可能性があるためである。
【００５７】
（変形例８）
第２の実施の形態において、シーケンスモータや発光装置以外の電気部品の使用回数をオフセット量の決定に用いるようにしてもよい。二次電池の活性化に寄与するのであれば、例えばＤＲＡＭへのアクセス回数であってもよい。
【００５８】
（変形例９）
上述した実施形態では本発明を電子カメラに適用していたが、不活性化する二次電池を使用する電子機器であれば電子カメラに限らず本発明を適用可能である。
【００５９】
（変形例１０）
オフセット量の決定はバッテリパックの装着以外のタイミングで行ってもよい。例えば電子機器自体にバッテリパックの充電機能が備わっている場合には、充電の経過に合わせてリアルタイムにオフセット量を変更するようにしてもよい。
【００６０】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００６１】
１  電子カメラ
２  カメラ本体
３  交換レンズ
４１  制御回路
５０  発光装置
５１  シーケンスモータ
５３  バッテリパック
６１  二次電池
６３  マイクロコンピュータ
６４  フラッシュメモリ
【図１】
2011024347.tif 000003
【図２】
2011024347.tif 000004
【図３】
2011024347.tif 000005
【図４】
2011024347.tif 000006
【図５】
2011024347.tif 000007
【図６】
2011024347.tif 000008